(57)【特許請求の範囲】
【請求項１】
コック本体の上口内に形成した回転円周溝の上縁には、半径が同一で、中央に小縁を残して二岐切欠部を形成すると共に、この二岐切欠部の１８０°反対側には、二岐切欠部と半径は同一で、切り欠き角は小さい単一切欠部を形成し、一方、ハンドルの下面に形成した胴部には、前記二岐切欠部の半径及び切欠角度よりもやや小さい二岐係合リブを形成すると共に、この二岐係合リブの１８０°反対側には、前記単一切欠部の半径及び切欠角度よりもやや小さい単一係合リブを形成して成る１８０°回転式ガスコックにおいて、前記回転円周溝の上縁であって、前記二岐切欠部と単一切欠部の中間位置には、夫々中間切欠部を形成し、一方、ハンドル側の二岐係合リブと単一係合リブの中間位置には、前記中間切欠部の半径及び切欠角度よりやや小さい中間係合リブを夫々形成して成る１８０°回転式ガス栓。
【発明の詳細な説明】
【０００１】
【発明の属する技術分野】
本発明は、ハンドルを開の位置から左右どちらに９０°回転してもガスコックを閉じることのできる所謂１８０°回転式ガス栓に関するものである。
【０００２】
【従来の技術】
従来の１８０°回転式ガス栓としては、本件出願人が出願し、実用新案登録された実公平５−３７０９６号公報に掲載のものが公知である。この公知例のガス栓（ガスコック）を図４（Ａ）（Ｂ）に示し、その作用を図５（Ａ）（Ｂ）並びに図６に示す。
図４（Ａ）において、ガス栓本体１は、上口２内に形成した回転円周溝３の上縁４には、半径が同一で、中央に小縁６を残して二岐切欠部５、５ａを形成すると共に、この二岐切欠部５、５ａの１８０°反対側には、二岐切欠部５、５ａと半径は同一で、切り欠き角は小さい単一切欠部７を形成し、一方、ハンドル８の下面に形成した胴部８ａには、前記二岐切欠部５、５ａの半径及び切欠角度よりもやや小さい二岐係合リブ９、９ａを形成すると共に、この二岐係合リブ９、９ａの１８０°反対側には、前記単一切欠部７の半径及び切欠角度よりもやや小さい単一係合リブ１０を形成した構成となっている。
【０００３】
このガス栓は、ガス栓本体１にハンドル８を組む場合には、ガス栓本体１の上口２の上にハンドル８を持ち、二岐切欠部５、５ａと二岐係合リブ９、９ａ、単一切欠部７と単一係合リブ１０とを夫々合致させ、ハンドル８を上口２内に押し込み、夫々の係合リブを回転円周溝３内に位置させる。次に図４（Ｂ）に示すように、ハンドル８を左右何れかの方向に１８０°回転させることにより、回転円周溝３を経由して二岐切欠部５、５ａの中間の小縁６に単一係合リブ１０を係合させ、単一切欠部２の左右の縁に二岐係合リブ９、９ａを半分係合させることにより、ガス栓本体１とハンドル８の組み付けを終了する。なお、この状態でガス栓は全開である。
【０００４】
ガス栓は、上記の状態で配管に取り付けられ、使用時には、上記の状態から左右何れかの方向に９０°回転することで閉、更に左右何れかの方向に９０°回転することで開となる。このように、ハンドル８は開の位置から、左右何れの方向に９０°回転しても閉となる。
【０００５】
【発明が解決しようとする課題】
しかし乍ら、上記従来の１８０°回転式のガス栓においては、次のような欠点がある。
ハンドル８とガス栓本体１内に組み込まれた栓体１１との間には、図６に示すように、栓体１１をテーパー状の組み込み穴１２内に組み込んだときに、そのシール性を確保するために、コイルスプリング１３が装入されていて、ハンドル８側には、常にコイルスプリング１３の反力が作用している。
【０００６】
この反力は、ハンドル８側の二岐係合リブ９、９ａと単一係合リブ１０と回転円周溝３の上縁４及び小縁６との係合で受け止められているが、ハンドル８を全開の位置から左又は右に少し回転したときの二岐係合リブ９、９ａと単一係合リブ１０は、図５（Ａ）又は（Ｂ）に示すように、二岐係合リブ９、９ａにあっては、何れか一方は単一切欠部７から外れており、一方、単一係合リブ１０は、その半分だけが小縁６に係合し、あとの半分は、二岐切欠部５、５ａの何れか一方の中にあり、係合から外れている。
この結果、ハンドル８が受けているコイルスプリング１３の反力により、ハンドル８は、図６に示すように係合関係が一部外れている側において浮き上がり、θに示す傾きが発生する。
【０００７】
そして、このようにハンドル８が傾くと、係合切欠部５、５ａ、単一切欠部７の角においてカジリが発生したり、ハンドル８の回転がスムーズに行われなかったりする。又、このハンドル８の傾きにより、隙間が発生することから、ガス栓内に埃や水が侵入してトラブルの原因となったり、栓体１１のシール性にも悪い影響が出るようになる。
【０００８】
本発明は、斯る点に鑑みて提供されるものであって、その目的は、ハンドルの傾きが発生するのを防止してその回転をスムーズに行えるように構成すると共に、ガス栓内に埃や水が侵入したり、栓体のシール性に悪い影響が出ない１８０°の回転機構を備えたガス栓を提供することである。
【０００９】
【課題を解決するための手段】
上記目的を達成するため、請求項１に記載の発明においては、１８０°回転式ガス栓  において、コック本体の上口内に形成した回転円周溝の上縁には、半径が同一で、中央  に小縁を残して二岐切欠部を形成すると共に、この二岐切欠部の１８０°反対側には、  二岐切欠部と半径は同一で、切り欠き角は小さい単一切欠部を形成し、一方、ハンドル  の下面に形成した胴部には、前記二岐切欠部の半径及び切欠角度よりもやや小さい二岐  係合リブを形成すると共に、この二岐係合リブの１８０°反対側には、前記単一切欠部  の半径及び切欠角度よりもやや小さい単一係合リブを形成して成る１８０°回転式ガス  コックにおいて、前記回転円周溝の上縁であって、前記二岐切欠部と単一切欠部の中間  位置には、夫々中間切欠部を形成し、一方、ハンドル側の二岐係合リブと単一係合リブ  の中間位置には、前記中間切欠部の半径及び切欠角度よりやや小さい中間係合リブを    夫々形成して成ることを特徴とするものである。
【００１０】
【作用】
上記構成のガス栓は、先ずハンドルをガス栓本体内に組み付ける際には、ガス栓本体内に栓体、コイルスプリングを組み込んだのち、二岐切欠部には二岐係合リブを合わせ、単一切欠部には単一係合リブを合わせ、中間切欠部には中間係合リブを合わせたのち、ハンドルを押し込んで各リブを回転円周溝に合わせ、１８０°回転する。このようにすると、ハンドル側の二岐係合リブは単一切欠部の両サイドに係合し、単一係合リブはその中央が二岐切欠部間の小縁に係合する。但し、中間係合リブと中間切欠部はそのまま合致し、係合していない。この状態のとき、ガス栓は全開である。そして、左右何れかの方向に回転を開始すると、中間係合リブは中間切欠部から逃れて回転円周溝の上縁に対称位置で係合を始め、更に、二岐係合リブの何れか一方は完全に回転円周溝の上縁に係合し、単一係合リブは小縁から外れるときには回転円周溝の上縁に係合を始める。この結果、ハンドルの回転時には、合計４ヶ所において係合関係が成立する。
【００１１】
このように、ハンドルとガス栓本体は、ハンドルの回転時においては、その回転軸を中心として、十文字方向（各９０°方向）においてリブと回転円周溝の上縁及び小縁との係合が常に行われることから、ハンドルの回転はスムーズであり、また、コイルスプリングの反力でハンドルが傾くことはない。
また、ハンドルを９０°回転して全閉とした位置においては、二岐係合リブは中間切欠部の両サイドにおいて回転円周溝の上縁に係合し、一つの中間係合リブは回転円周溝の小縁に係合し、単一係合リブは中間切欠部の両サイドにおいて回転円周溝の上縁に係合し、片方の中間係合リブのみ単一切欠部内に位置していて、合計で５ヶ所において係合が成立している。この結果、特に全閉時においてガス栓（栓体）のシール性が確実に保障されることになる。
【００１２】
【実施例】
図１〜図３に基づいて本発明に係る１８０°回転式ガス栓の実施例とその作用を詳述する。１はガス栓本体、２はこのガス栓本体１内に栓体（図示せず）を組み込むための上口、３は上口２内に形成された回転円周溝、４はこの円周溝３の上縁である。５、５ａは上縁４に形成された二岐切欠部にして、この二岐切欠部５、５ａの中内には小縁６が形成されている。７は前記二岐切欠部５、５ａの１８０°反対側に形成された単一切欠部、１４、１４ａは前記二岐切欠部５、５ａと単一切欠部７の中間９０°の位置に夫々形成された中間切欠部であって、前記各切欠部は、上縁４を回転円周溝３よりやや大きく切り込んであり、二岐切欠部５、５ａの左右の幅は単一切欠部７の幅（開き角度）よりもやや大きく、中間切欠部１４、１４ａの幅（開き角度）は単一切欠部７の幅よりも小さい。
【００１３】
８はハンドル、９、９ａはハンドル８の下面に形成された胴部８ａから水平方向に突出するように形成された二岐係合リブであって、この二岐係合リブ９、９ａは、二岐切欠部５、５ａよりやや小さい相似形である。１０は前記二岐係合リブ９、９ａの１８０°反対側において、胴部から水平方向に突出するように形成された単一係合リブであって、この単一係合リブ１０は、単一切欠部７よりもやや小さい相似形である。１５、１５ａは前記二岐係合リブ９、９'と単一係合リブ１０の中間に形成された中間係合リブであって、この中間係合リブ１５、１５ａは、中間切欠部１４、１４ａよりやや小さい相似形である。
【００１４】
次に、上記構成から成るガス栓について、先ずその組み立て手順を説明する。先ずハンドル８をガス栓本体１に組み付ける際には、ガス栓本体１内に栓体１１、コイルスプリング１３を組み込んだのち、二岐切欠部５、５ａに二岐係合リブ９、９ａを合わせ、単一切欠部７に単一係合リブ１０を合わせ、中間切欠部１４、１４ａに中間係合リブ１５、１５ａを合わせたのち（図１（Ａ））、ハンドル８を押し込んで各リブを回転円周溝３のところに合わせ、１８０°回転する（図１（Ｂ））。このようにすると、ハンドル８側の二岐係合リブ９、９ａは単一切欠部７の両サイドに係合し、単一係合リブ１０はその中央が小縁６に係合する。但し、中間係合リブ１５、１５ａと中間切欠部１４、１４ａはそのまま合致し、係合は成立していない。この状態のとき、ハンドル８とガス栓本体１との係合関係は３ヶ所であり、ガス栓（栓体５）は全開である。そして、左右何れかの方向にハンドル８の回転を開始すると、図３（Ａ）（Ｂ）に示すように中間係合リブ１５、１５ａは中間切欠部１４、１４ａから逃れて回転円周溝３の上縁４に１８０°の対称位置で係合を始め、更に、二岐係合リブ９、９ａの何れか一方は完全に回転円周溝３の上縁４に係合し、単一係合リブ１０は小縁６から外れるときには回転円周溝３の上縁４に係合を始める。
【００１５】
この結果、ハンドル８とガス栓本体１は、５ヶ所においてリブと円周回転溝３の上縁４、及び小縁６との係合が常に行われることから、ハンドル８の回転時にコイルスプリング１３の反力でハンドル８が傾くことはない。
そして、ハンドル８を９０°回転して全閉とした位置においては、二岐係合リブ９、９ａは中間切欠部１４又は１４ａの両サイドにおいて上縁４に係合し、単一係合リブ１０は中間切欠部１４又は１４ａの両サイドにおいて上縁４に係合し、中間係合リブ１５又は１５ａは小縁６に係合し、合計５ヶ所においてハンドル８とガス栓本体１との係合が成立している（図２（Ａ）（Ｂ））。
【００１６】
このような作用によって、ハンドル８は、全開（図１（Ｂ））では３ヶ所でガス栓本体１側と係合し、ハンドル８の回転時（図３（Ａ）（Ｂ））では４ヶ所において回転円周溝３の上縁４及び小縁６に係合し、ハンドル８の全閉時では５ヶ所において係合が保たれていることから、ハンドル８の回転はスムーズに行われると共に、係合関係はバランスがとれているため、コイルスプリング１３の反力でハンドルが傾いたりはしない。
【００１７】
【発明の効果】
本発明は以上のように、ガス栓本体側に二岐切欠部と単一切欠部及び中間切欠部を９０°間隔で形成し、ハンドル側には二岐係合リブと単一係合リブ及び中間係合リブを形成したことにより、ハンドルの回転時においては常に４ヶ所において各係合リブが回転円周溝内において上縁及び小縁に係合する。この結果、コイルスプリングの反力を受けても、ハンドルは傾いたりせず、そのスムーズな回転を保障する効果がある。また、ハンドルは、傾いたりしないことから、ガス栓本体とハンドル間に隙間が発生して埃や水が内部に侵入したりしない。また、ガス栓本体とハンドルとの係合は、特に閉止時には５ヶ所において係合が成立していることから、コイルスプリングの反力を均一に受け止めることができる。この結果、栓体のシール性を確実に保障する効果がある。
【図面の簡単な説明】
【図１】（Ａ）はハンドルを組み込む直前の説明図、（Ｂ）はハンドルを組み込んで１８０°回転させた全開時の説明図。
【図２】（Ａ）はハンドルを右方向に９０°回転した全閉状態の説明図、（Ｂ）はハンドルを左方向に９０°回転した全閉状態の説明図。
【図３】（Ａ）はハンドルを全開から右方向に約２５°回転した状態の説明図、（Ｂ）はハンドルを全開から左方向に約２５°回転した状態の説明図。
【図４】（Ａ）は従来の１８０°回転ガス栓において、ハンドルを組み込む直前の説明図、（Ｂ）はハンドルを組み込んで１８０°回転させた全開時の説明図。
【図５】（Ａ）はハンドルを全開から右方向に約２５°回転した状態の説明図、（Ｂ）はハンドルを全開から左方向に約２５°回転した状態の説明図。
【図６】従来の１８０°回転ガス栓の断面図であって、ハンドルがコイルスプリングの反力でθ角傾いた状態の説明図。
【符号の説明】
１  ガス栓本体
２  上口
３  回転円周溝
４  上縁
５、５ａ  二岐切欠部
６  小縁
７  単一切欠部
８  ハンドル
９、９ａ  二岐係合リブ
１０  単一係合リブ
１１  栓体
１２  組込穴
１３  コイルスプリング
１４、１４ａ  中間切欠部
１５、１５ａ  中間係合リブ
【図１】
0003662008.tif 000002
【図２】
0003662008.tif 000003
【図３】
0003662008.tif 000004
【図４】
0003662008.tif 000005
【図５】
0003662008.tif 000006
【図６】
0003662008.tif 000007